(57)【要約】【課題】既存のＸ線管装置のアップグレイドを経済的に実現でき、Ｘ線焦点の形状やＸ線管の管電流に影響が出ないようにＸ線焦点を偏向移動できる静電偏向方式のＸ線管装置を提供する。【解決手段】フィラメント32から電子が陽極ターゲット27に進行する電子進行方向に見て、フィラメント32と陽極ターゲット27との間に、一対の偏向電極51を配置する。フィラメント32から電子の速度が比較的速くなる空間領域に偏向電界を発生させる。一対の偏向電極51には、フィラメント32の電位Ｖ１と陽極ターゲット27の電位Ｖ２との電位差Ｖ２−Ｖ１をＶとした場合、接地電位に対して＋Ｖ／３から−Ｖ／３の範囲の電位差を与えれば、電子を偏向できる。【選択図】図１
2010238637.tif 000002
【特許請求の範囲】
【請求項１】
真空外囲器と、
この真空外囲器内に配置される陰極の電子発生源と、
前記真空外囲器内に配置され、前記電子発生源から発生する電子が衝撃してＸ線を発生するＸ線焦点が形成される陽極ターゲットと、
前記電子発生源から電子が前記陽極ターゲットに進行する電子進行方向に見て、少なくとも前記電子発生源と前記陽極ターゲットとの間に配置され、Ｖを前記電子発生源の電位Ｖ１と前記陽極ターゲットの電位Ｖ２との電位差Ｖ２−Ｖ１とした場合、接地電位に対して＋Ｖ／３から−Ｖ／３の範囲の電位差が与えられ、前記電子を偏向させる少なくとも一対の偏向電極と
を具備していることを特徴とするＸ線管装置。
【請求項２】
前記偏向電極に、前記接地電位に対して＋Ｖ／５から−Ｖ／５の範囲の電位差が与えられる
ことを特徴とする請求項１記載のＸ線管装置。
【請求項３】
前記Ｖ１＋Ｖ２が接地電位である
ことを特徴とする請求項１または２記載のＸ線管装置。
【請求項４】
前記陽極ターゲットの電位Ｖ２が接地電位である
ことを特徴とする請求項１または２記載のＸ線管装置。
【請求項５】
前記電子進行方向に見て、少なくとも前記偏向電極と前記陽極ターゲットとの間に配置され、前記電子発生源から発生する電子が前記陽極ターゲットに衝撃することにより前記陽極ターゲットから発生した反跳電子を捕捉する反跳電子トラップ構造体を具備している
ことを特徴とする請求項４記載のＸ線管装置。
【請求項６】
前記反跳電子トラップ構造体が接地電位である
ことを特徴とする請求項５記載のＸ線管装置。
【発明の詳細な説明】
【技術分野】
【０００１】
本発明は、電子発生源から発生する電子を陽極ターゲットに衝突させてＸ線を発生させるＸ線管装置に関する。
【背景技術】
【０００２】
従来、例えば、Ｘ線ＣＴ装置などでは、陰極の電子発生源から発生する電子を回転する陽極ターゲット、または固定の陽極ターゲットに衝突させ、この陽極ターゲットの電子が衝突して形成されるＸ線焦点からＸ線を発生させるＸ線管装置が用いられている。
【０００３】
このようなＸ線ＣＴ装置などでは、Ｘ線撮影中に、Ｘ線管装置で異なった位置にＸ線焦点を配置することにより、被写体を通じて検出器に入射するＸ線の入射角度をわずかにずらし、Ｘ線撮影画像の解像特性を向上させる技術が知られている。
【０００４】
Ｘ線撮影中に、Ｘ線管装置で異なった位置にＸ線焦点を配置するには、Ｘ線焦点を１ｍｓｅｃ以下の周期で周期的に微小移動させる必要がある。
【０００５】
Ｘ線焦点を周期的に微小移動させる方式の１つとして、真空容器内の陰極電極近傍に組み込まれる偏向電極に偏向電圧を印加し、静電的に電子ビームを偏向させる静電的電子ビーム偏向方式が知られている（例えば、特許文献１〜３参照。）。
【先行技術文献】
【特許文献】
【０００６】
【特許文献１】米国特許第４６８９８０９号明細書
【特許文献２】米国特許公開２００８／９５３１７号明細書
【特許文献３】米国特許第７３１７７８５号明細書
【発明の概要】
【発明が解決しようとする課題】
【０００７】
しかしながら、Ｘ線ＣＴ装置に搭載されるＸ線管装置では、陰極と陽極との間の電圧差が１３０ｋＶを超える場合が一般的である。このようなＸ線管装置では、少なくとも陰極には負の高電圧電位が供給されるため、陰極電圧供給用ケーブルとしては高電圧ケーブルが採用されている。上述の静電的電子ビーム偏向方式では、偏向電極に、陰極電位よりも比較的低電圧（数ｋＶ程度）の偏向電圧分だけ変化させた電圧を印加させるため、従来の陰極電圧供給用の高電圧ケーブルに、偏向電圧供給線を追加した専用の高電圧ケーブルが必要となる。また、高電圧電源も偏向電圧も供給できる専用の電源が必要となる。そのため、Ｘ線管装置を交換するのみで既存のＸ線ＣＴ装置のアップグレイドを達成することはできず、経済性に問題が生じ、逆に、静電的電子ビーム偏向方式のＸ線管装置、専用高電圧電源と専用高電圧ケーブルを採用した新しいＸ線ＣＴ装置に、従来のＸ線管装置を搭載することが困難であるため、Ｘ線管装置がダウンした場合の復旧に支障を来たす場合が生じる。
【０００８】
また、上述の静電的電子ビーム偏向方式では、偏向電極に偏向電圧が印加されることによって生じる偏向電界が比較的速度の遅い状態にある電子に作用するため、電子発生源からの電子の集束状態や、電子流密度に影響を及ぼしてしまう。従って、電子が陽極ターゲット上に形成するＸ線焦点位置を偏向させようとすると、Ｘ線焦点の形状やＸ線管の管電流も変化してしまうという不具合が発生する可能性がある。
【０００９】
本発明は、このような点に鑑みなされたもので、既存のＸ線管装置のアップグレイドを経済的に実現することができるとともに、Ｘ線焦点の形状やＸ線管の管電流に影響が出ないようにＸ線焦点位置を偏向移動させることができる静電偏向方式のＸ線管装置を提供することを目的とする。
【課題を解決するための手段】
【００１０】
本発明は、真空外囲器と、この真空外囲器内に配置される陰極の電子発生源と、前記真空外囲器内に配置され、前記電子発生源から発生する電子が衝撃してＸ線を発生するＸ線焦点が形成される陽極ターゲットと、前記電子発生源から電子が前記陽極ターゲットに進行する電子進行方向に見て、少なくとも前記電子発生源と前記陽極ターゲットとの間に配置され、Ｖを前記電子発生源の電位Ｖ１と前記陽極ターゲットの電位Ｖ２との電位差Ｖ２−Ｖ１とした場合、接地電位に対して＋Ｖ／３から−Ｖ／３の範囲の電位差が与えられ、前記電子を偏向させる少なくとも一対の偏向電極とを具備しているものである。
【発明の効果】
【００１１】
本発明によれば、電子発生源から電子が陽極ターゲットに進行する電子進行方向に見て、電子発生源と陽極ターゲットとの間に少なくとも一対の偏向電極を配置することにより、少なくとも一対の偏向電極には、Ｖを電子発生源の電位Ｖ１と陽極ターゲットの電位Ｖ２との電位差Ｖ２−Ｖ１とした場合、接地電位に対して＋Ｖ／３から−Ｖ／３の範囲の電位差を与えれば、電子を偏向させることができるため、陰極の高電圧電源および高電圧ケーブルとは別の独立した偏向電圧供給用の電源およびケーブルを用いることができ、既存のＸ線管装置のアップグレイドを経済的に実現することができ、さらに、電子発生源と陽極ターゲットとの間で、電子の速度が比較的速くなる空間領域に偏向電界を発生させることにより、Ｘ線焦点の形状やＸ線管の管電流に影響が出ないようにＸ線焦点位置を偏向移動させることができる。
【図面の簡単な説明】
【００１２】
【図１】本発明の第１の実施の形態を示すＸ線管装置の断面図である。
【図２】同上Ｘ線管装置の図１のＡ−Ａ視断面図である。
【図３】同上Ｘ線管装置の陰極を示し、(a)は陰極の断面図、(b)は陰極の底面図である。
【図４】同上Ｘ線管装置の偏向電極の配置を示す平面図である。
【図５】本発明の第２の実施の形態を示し、Ｘ線管装置の偏向電極の配置を示す平面図である。
【図６】本発明の第３の実施の形態を示し、Ｘ線管装置の偏向電極の配置を示す平面図である。
【図７】本発明の第４の実施の形態を示し、Ｘ線管装置の偏向電極の配置を示す平面図である。
【図８】本発明の第５の実施の形態を示すＸ線管装置の断面図である。
【図９】同上Ｘ線管装置の偏向電極の配置関係を示す説明図である。
【図１０】本発明の第６の実施の形態を示し、Ｘ線管装置の偏向電極の配置関係を示す説明図である。
【図１１】本発明の第７の実施の形態を示し、Ｘ線管装置の偏向電極の配置関係を示す説明図である。
【発明を実施するための形態】
【００１３】
以下、本発明の実施の形態を、図面を参照して説明する。
【００１４】
図１ないし図４に第１の実施の形態を示す。
【００１５】
図１および図２に示すように、回転陽極型のＸ線管装置は、ハウジング11、およびこのハウジング11内に配置された陽極接地型（陽極電位が接地電位）でかつ回転陽極型のＸ線管12を備えている。ハウジング11とＸ線管12との間の空間には例えばグリコール水などの不凍液を含む水系冷却液あるいは絶縁油などの冷却液13が満たされ、この冷却液13をハウジング11に対して図示しないホースで接続された冷却器に循環させて冷却するように構成されている。
【００１６】
Ｘ線管12は、真空外囲器15を備え、この真空外囲器15は、径大部16、この径大部16の上下の径小部17，18を有する円筒状に形成されている。さらに、真空外囲器15の径大部16上には円筒状の陰極収納部19が形成されている。
【００１７】
真空外囲器15の径大部16の外周面には、陰極収納部19の位置に対応して、Ｘ線が透過するＸ線透過窓20が取り付けられている。
【００１８】
また、真空外囲器15内には、真空外囲器15の中心に固定軸23が配置されているとともに、この固定軸23に対して回転可能に支持された回転体24が配置されている。この固定軸23は、回転体24からみて、回転体24の回転中心となる回転軸として構成される。
【００１９】
この回転体24には、径大部16内に回転可能に配置される円板部25、および下部側の径小部18内に回転可能に配置されるロータ部26が形成されている。回転体24の円板部25の上面外周部側は、Ｘ線透過窓20へ向けて対向するように所定の角度で下降傾斜され、この下降傾斜された表面に電子が衝突してＸ線を発生する陽極ターゲット27が設けられている。
【００２０】
真空外囲器15の下部側の径小部18の外側には、誘導電磁界を発生してロータ部26を介して回転体24および陽極ターゲット27を回転させるコイル28が配置されている。
【００２１】
また、真空外囲器15の陰極収納部19内には、陽極ターゲット27に対向するように配置された陰極31が収納されている。この陰極31は、図３に示すように、電子を発生する電子発生源としてのフィラメント32、およびこのフィラメント32を支持する陰極支持体33を備えている。
【００２２】
フィラメント32は、小焦点用フィラメント32aと大焦点用フィラメント32bとを備え、それぞれ幅が長い長手方向とこの長手方向に直交する幅が狭い幅方向とを有する形状に形成され、陰極支持体33に対して幅方向に沿った方向に互いに並列に配置されている。フィラメント32の長手方向が陽極ターゲット27の径方向に沿って配置され、幅方向が陽極ターゲット27の回転方向に沿って配置されている。
【００２３】
陰極支持体33は、外周部に陰極キャップ34が設けられており、絶縁体35によって真空外囲器15に支持されている。この絶縁体35の箇所を利用して、陰極31に負の高電圧電位を供給する高電圧電源と接続するための高電圧ケーブルが接続される。
【００２４】
また、図１および図２に示すように、真空外囲器15の陰極収納部19は、上部側が円筒状の周壁部38にて構成され、下部側が環状の反跳電子トラップ構造体39にて構成され、これら周壁部38と反跳電子トラップ構造体39との間が環状の絶縁体としての絶縁セラミックス40にて構成されている。
【００２５】
反跳電子トラップ構造体39は、陽極ターゲット27からの反跳電子を捕獲するもので、中心部にはフィラメント32から発生する電子を通過させる円形状の開口部41が形成されており、フィラメント32から発生する電子が陽極ターゲット27へ移動する軌道を取り囲むように配置されている。反跳電子トラップ構造体39の陰極31に対向する面は平坦面に形成され、陽極ターゲット27に対向する面は凹面に形成され、外周面は円筒状側面に形成されている。
【００２６】
反跳電子トラップ構造体39は、高熱伝導性材で形成されていることが好ましく、例えば、銅、銅合金、ＧＬＩＤ−ＣＯＰなどの強化銅、モリブデン、モリブデン合金などの金属材料の他、熱伝導率が大きいＳｉＣ、ＡｌＮ、ＢｅＯなどのセラミクス表面を金属薄膜でコーティングしたものを用いてもよい。さらに、図示していないが、反跳電子トラップ構造体39は冷却構造を備えており、この冷却構造としては、例えば、反跳電子トラップ構造体39の内部に冷却液13が循環する冷却液流路が形成され、この冷却液流路の冷却液13を冷却器に循環させて反跳電子トラップ構造体39を冷却するように構成されている。
【００２７】
また、図１、図２および図４に示すように、真空外囲器15の陰極収納部19の内部には、フィラメント32から電子が陽極ターゲット27に進行する電子進行方向に見て、フィラメント32と陽極ターゲット27との間に、電子を電子進行方向に対して垂直となる方向に静電偏向させる一対の偏向電極51が配置されている。これら一対の偏向電極51は、周方向に２分割され、それぞれ絶縁セラミックス40に支持され、陽極ターゲット27の径方向に沿って互いに離間して対向するように配置されている。一対の偏向電極51の互いに対向する中央部分には、フィラメント32から陽極ターゲット27へ進行する電子が通過する電子通過部52を構成する半円状の窪み部53が形成されている。
【００２８】
一対の偏向電極51には偏向電圧を供給する一対の偏向電圧供給用ケーブル54が絶縁セラミックス40を貫通して電気的に接続され、これら偏向電圧供給用ケーブル54の接続部分が絶縁モールド55で絶縁されている。偏向電圧供給用ケーブル54はハウジング11を液密に貫通して外部に引き出され、図示しない偏向電圧供給用電源に接続されている。一対の偏向電圧供給用ケーブル54は、１本ずつ、ハウジング11と真空外囲器15の陰極収納部19との間のスペースが広い方向であって、陽極ターゲット27の回転方向に対応した方向に配線されている。
【００２９】
そして、偏向電圧供給用電源により、一対の偏向電極51には、フィラメント32の電位Ｖ１と陽極ターゲット27の電位Ｖ２との電位差Ｖ２−Ｖ１をＶとした場合、接地電位に対して＋Ｖ／３から−Ｖ／３の範囲の電位差が与えられる。すなわち、陽極接地型のＸ線管12では、陽極ターゲット27の電位Ｖ２が接地電位であるため、陰極31の電位Ｖ１が例えば−１５０ｋＶであれば、Ｖは１５０ｋＶであり、一対の偏向電極51には接地電位に対して±５０ｋＶの範囲の電位差が与えられる。
【００３０】
一対の偏向電極51に与える電位差のより好ましい範囲は、接地電位に対して＋Ｖ／５から−Ｖ／５の範囲である。この場合には、Ｖが１５０ｋＶであれば、一対の偏向電極51には接地電位に対して±３０ｋＶの範囲の電位差が与えられる。
【００３１】
なお、この陽極接地型のＸ線管12は、陽極ターゲット27のみならず、反跳電子トラップ構造体39や真空外囲器15の金属部分も接地電位である。
【００３２】
また、図１に示すように、ハウジング11には、真空外囲器15のＸ線透過窓20に対向してＸ線が透過するＸ線透過窓11aが設けられている。
【００３３】
そうして、図１において、Ｘ線撮影時には、Ｘ線管装置において、回転体24および陽極ターゲット27が回転し、陰極31のフィラメント32から発生する電子が陽極ターゲット27に衝突して、フィラメント32の形状に対応したＸ線焦点が形成され、この陽極ターゲット27のＸ線焦点から発生したＸ線が真空外囲器15のＸ線透過窓20およびハウジング11のＸ線透過窓11aを通じて外部へ照射される。
【００３４】
ここで、Ｘ線焦点とは、実焦点ではなく、実効焦点を意味している。
【００３５】
陽極ターゲット27からの反跳電子が反跳電子トラップ構造体39で捕獲される。
【００３６】
また、図４に示すように、一対の偏向電極51への偏向電圧の印加にて、一対の偏向電極51間の電子通過部52に偏向電界が発生し、この偏向電界により、フィラメント32から陽極ターゲット27へ向かう電子が陽極ターゲット27の径方向（フィラメント32の長手方向）に偏向され、陽極ターゲット27に形成されるＸ線焦点が陽極ターゲット27の径方向（Ｘ線焦点の長手方向）に微小移動する。
【００３７】
このとき、フィラメント32から電子が陽極ターゲット27に進行する電子進行方向に見て、フィラメント32と陽極ターゲット27との間に一対の偏向電極51を配置しているため、フィラメント32と陽極ターゲット27との間で、電子の速度が比較的速くなる空間領域に偏向電界を発生させることができ、Ｘ線焦点の形状やＸ線管12の管電流に影響が出ないようにＸ線焦点位置を偏向移動させることができる。
【００３８】
このように構成されたＸ線管装置では、フィラメント32から電子が陽極ターゲット27に進行する電子進行方向に見て、フィラメント32と陽極ターゲット27との間に一対の偏向電極51を配置することにより、一対の偏向電極51には、Ｖをフィラメント32の電位Ｖ１と陽極ターゲット27の電位Ｖ２との電位差Ｖ２−Ｖ１とした場合、接地電位に対して＋Ｖ／３から−Ｖ／３の範囲、より好ましくは＋Ｖ／５から−Ｖ／５の範囲の電位差を与えれば、電子を偏向させることができるため、陰極31の高電圧電源および高電圧ケーブルとは別の独立した偏向電圧供給用電源および偏向電圧供給用ケーブルを用いることができるとともに、偏向電圧供給用ケーブルを偏向電極51に接続するのに耐電性の高い構造が必要なく、接続構造を簡単にでき、したがって、既存の例えばＸ線ＣＴ装置に組み込まれているＸ線管装置のアップグレイドを経済的に実現することができる。
【００３９】
一対の偏向電極51に与える電位差が、＋Ｖ／３から−Ｖ／３の範囲を超える場合には、偏向電圧供給用ケーブルとして太い高電圧ケーブルが必要となり、偏向電圧供給用ケーブルを接続するのに耐電性の高い構造が必要で、接続構造が大掛かりになる。
【００４０】
次に、図５に第２の実施の形態を示す。
【００４１】
第１の実施の形態との違いは、一対の偏向電極51が対向する方向を、陽極ターゲット27の径方向に対して所定の角度αだけずらして配置している。
【００４２】
そして、一対の偏向電極51が発生する偏向電界により、Ｘ線焦点は陽極ターゲット27の径方向（Ｘ線焦点の長さ方向）および回転方向（Ｘ線焦点の幅方向）に同時に移動することができる。
【００４３】
角度αは、Ｘ線焦点の陽極ターゲット27の径方向（Ｘ線焦点の長さ方向）への移動距離および回転方向（Ｘ線焦点の幅方向）への移動距離の比に合わせて設定する。
【００４４】
Ｘ線焦点を、Ｘ線焦点の長さ方向と幅方向に等しい距離移動させるためには、角度αは陽極ターゲット27の傾斜角に等しくする。
【００４５】
次に、図６に第３の実施の形態を示す。
【００４６】
第１の実施の形態との違いは、一対の偏向電極51が対向する方向を、陽極ターゲット27の径方向に対して９０°ずらして配置している。
【００４７】
そして、一対の偏向電極51が発生する偏向電界により、Ｘ線焦点は陽極ターゲット27の回転方向（Ｘ線焦点の幅方向）に移動することができる。
【００４８】
次に、図７に第４の実施の形態を示す。
【００４９】
第１の実施の形態との違いは、偏向電極51が、周方向に４分割され、中央の電子通過部52を介して互いに対向する一対の偏向電極51を組みとして２組の電極対51a，51bを設け、一方の電極対51aの一対の偏向電極51が対向する方向を陽極ターゲット27の径方向として配置し、他方の電極対51bの一対の偏向電極51が対向する方向を陽極ターゲット27の径方向に対して９０°ずらして配置している。
【００５０】
この場合、４つの偏向電極51にそれぞれ接続される４本の偏向電圧供給用ケーブル54が用いられ、これら偏向電圧供給用ケーブル54は、２本ずつ、ハウジング11と真空外囲器15の陰極収納部19との間のスペースが広い方向であって、陽極ターゲット27の回転方向に対応した方向に配線されている。
【００５１】
そして、一方の電極対51aの偏向電圧と他方の電極対51bの偏向電圧との比を変えることにより、Ｘ線焦点を陽極ターゲット27の径方向（Ｘ線焦点の長さ方向）および回転方向（Ｘ線焦点の幅方向）に自由に偏向させることができる。
【００５２】
次に、図８および図９に第５の実施の形態を示す。
【００５３】
例えば陽極ターゲット27の電位Ｖ２を７５ｋＶ、陰極31の電位Ｖ１を−７５ｋＶとする中性点接地型（陰極電位と電極電位とが正負の高電圧）のＸ線管装置の例である。
【００５４】
真空外囲器15に取り付けられた高電圧絶縁部材61がハウジング11の外面に露出するようにハウジング11に液密に取り付けられ、この高電圧絶縁部材61を通じて固定軸23の端部がハウジング11の外面に突出され、この固定軸23の端部に陽極側高電圧ケーブル62が電気的に接続されている。陽極側高電圧ケーブル62の先端にはエポキシ樹脂を充填したコネクタ63が設けられ、このコネクタ63がシリコーン樹脂64を介して固定軸23の端部に接続されている。そして、陽極側高電圧ケーブル62が、固定軸23および回転体24を通じて陽極ターゲット27に電気的に接続されている。
【００５５】
真空外囲器15に取り付けられた高電圧絶縁部材66がハウジング11の外面に露出するようにハウジング11に液密に取り付けられ、この高電圧絶縁部材66に陰極31を取り付けた陰極ディスク67が支持されるとともに陰極31に接続された配線68が高電圧絶縁部材66を通じてハウジング11の外面に導出され、この配線68に陰極側高電圧ケーブル69が電気的に接続されている。陰極側高電圧ケーブル69の先端にはエポキシ樹脂を充填したコネクタ70が設けられ、このコネクタ70がシリコーン樹脂71を介して配線68に接続されている。そして、陰極側高電圧ケーブル69が配線68を介してフィラメント32に電気的に接続されている。
【００５６】
一対の偏向電極51は、円筒状で周方向に２分割して形成されており、陽極ターゲット27の径方向に沿って互いに離間して対向するように配置され、かつ、フィラメント32と陽極ターゲット27との間に一部が配置されるとともに残りの一部が陰極31の周囲に配置されている。偏向電極51の内径は、陰極31の外径よりも大きく、互いの距離を耐電圧の確保が可能な値としている。偏向電極51は、反跳電子トラップ構造体の機能も兼ねている。
【００５７】
偏向電極51には、ハウジング11を液密に貫通する偏向電圧供給用ケーブル54が電気的に接続されている。
【００５８】
そして、一対の偏向電極51への偏向電圧の印加にて、一対の偏向電極51間に偏向電界が発生し、この偏向電界により、フィラメント32から陽極ターゲット27へ向かう電子が陽極ターゲット27の径方向（フィラメント32の長手方向）に偏向され、陽極ターゲット27に形成されるＸ線焦点が陽極ターゲット27の径方向（Ｘ線焦点の長さ方向）に微小移動する。
【００５９】
また、中性点接地型のＸ線管装置においても、一対の偏向電極51には、フィラメント32の電位Ｖ１と陽極ターゲット27の電位Ｖ２との電位差Ｖ２−Ｖ１をＶとした場合、接地電位に対して＋Ｖ／３から−Ｖ／３の範囲の電位差が与えられる。すなわち、例えば、フィラメント32の電位Ｖ１が−７５ｋＶ、陽極ターゲット27の電位Ｖ２が７５ｋＶであれば、Ｖは１５０ｋＶであり、一対の偏向電極51には接地電位に対して±５０ｋＶの範囲の電位差が与えられる。
【００６０】
一対の偏向電極51に与える電位差のより好ましい範囲は、接地電位に対して＋Ｖ／５から−Ｖ／５の範囲である。この場合には、Ｖが１５０ｋＶであれば、一対の偏向電極51には接地電位に対して±３０ｋＶの範囲の電位差が与えられる。
【００６１】
したがって、中性点接地型のＸ線管装置においても、第１の実施の形態と同様の作用効果が得られる。
【００６２】
次に、図１０に第６の実施の形態を示す。
【００６３】
第５の実施の形態との違いは、一対の偏向電極51が対向する方向を、陽極ターゲット27の径方向に対して９０°ずらして配置している。
【００６４】
そして、一対の偏向電極51が発生する偏向電界により、Ｘ線焦点は陽極ターゲット27の回転方向（Ｘ線焦点の幅方向）に移動することができる。
【００６５】
次に、図１１に第７の実施の形態を示す。
【００６６】
第５の実施の形態との違いは、偏向電極51が、周方向に４分割され、互いに対向する一対の偏向電極51を組みとして２組の電極対51a，51bを設け、一方の電極対51aの一対の偏向電極51が対向する方向を陽極ターゲット27の径方向として配置し、他方の電極対51bの一対の偏向電極51が対向する方向を陽極ターゲット27の径方向に対して９０°ずらして配置している。
【００６７】
この場合、４つの偏向電極51にそれぞれ接続される４本の偏向電圧供給用ケーブル54が用いられ、これら偏向電圧供給用ケーブル54は、２本ずつ、ハウジング11と真空外囲器15の陰極収納部19との間のスペースが広い方向であって、陽極ターゲット27の回転方向に対応した方向に配線されている。
【００６８】
そして、一方の電極対51aの偏向電圧と他方の電極対51bの偏向電圧との比を変えることにより、Ｘ線焦点を陽極ターゲット27の径方向（Ｘ線焦点の長さ方向）および回転方向（Ｘ線焦点の幅方向）に自由に偏向させることができる。
【符号の説明】
【００６９】
15    真空外囲器
27    陽極ターゲット
31    陰極
32    電子発生源としてのフィラメント
39    反跳電子トラップ構造体
51    偏向電極
【図１】
2010238637.tif 000003
【図２】
2010238637.tif 000004
【図３】
2010238637.tif 000005
【図４】
2010238637.tif 000006
【図５】
2010238637.tif 000007
【図６】
2010238637.tif 000008
【図７】
2010238637.tif 000009
【図８】
2010238637.tif 000010
【図９】
2010238637.tif 000011
【図１０】
2010238637.tif 000012
【図１１】
2010238637.tif 000013